(57)【要約】ユーザが、デジタル記録装置上に格納された利用可能な番組の数を迅速且つ容易に判断することを可能にするデジタル記録装置及びデジタル記録装置を制御する方法。本発明は、装置を電力供給状態にする電源オンコマンドの受信に応じて初期オンスクリーン表示を提供する。初期オンスクリーン表示は、装置に格納された利用可能なビデオ番組の数を示す。或いは、初期オンスクリーン表示は、装置が最後にオン状態とされたときから格納されたビデオ番組の数か、又は、格納された番組の全リストにユーザが最後にアクセスしたときから格納されたビデオ番組の数を示してもよい。
2005533334.tif 000002
【特許請求の範囲】
【請求項１】
デジタルビデオ記録装置を制御する方法であって、
信号源から複数のビデオ番組に対応する複数の信号を受信する段階と、
ユーザコマンドに応じて、記録のために前記複数のビデオ番組のうちのビデオ番組を選択する段階と、
記憶装置内に前記選択したビデオ番組を格納する段階と、
前記記憶装置内に格納された前記ビデオ番組に関するデータを維持する段階と、
前記デジタルビデオ記録装置が電源オン状態に置かれると、前記記憶装置内に格納された利用可能なビデオ番組の数を示す初期オンスクリーン表示メッセージを供給する段階と、
を含む方法。
【請求項２】
前記利用可能なビデオ番組の数は、最後に前記装置が電源オン状態にされたときから前記記憶装置内に格納されたビデオ番組の数を含む請求項１記載の方法。
【請求項３】
前記初期オンスクリーン表示メッセージは更に、前記記憶装置に格納された前記利用可能な数のビデオ番組の選択された属性を表示する請求項２記載の方法。
【請求項４】
前記選択された属性は、前記利用可能な数のビデオ番組のタイトルを含む請求項３記載の方法。
【請求項５】
前記選択された属性は、前記利用可能な数のビデオ番組のそれぞれが前記記憶装置に格納された時刻を含む請求項３記載の方法。
【請求項６】
前記利用可能なビデオ番組の数は、前記記憶装置に格納された全ての番組を列挙する全番組リスト表示にユーザが最後にアクセスしたときから前記記憶装置に格納されたビデオ番組の数を含む請求項１記載の方法。
【請求項７】
前記初期オンスクリーン表示メッセージは更に、前記記憶装置に格納された前記利用可能な数のビデオ番組の選択された属性を表示する請求項６記載の方法。
【請求項８】
前記選択された属性は、前記利用可能な数のビデオ番組のタイトルを含む請求項７記載の方法。
【請求項９】
前記選択された属性は、前記利用可能な数のビデオ番組のそれぞれが前記記憶装置に格納された時刻を含む請求項７記載の方法。
【請求項１０】
デジタルビデオ記録装置であって、
信号源から複数のビデオ番組に対応する複数の信号を受信する信号入力と、
ユーザコマンドに応じて、前記複数のビデオ番組のうちのビデオ番組を選択する同調手段と、
更なるユーザコマンドに応じて、記憶装置内に前記選択されたビデオ番組を格納する記録手段と、
オンスクリーン表示メッセージを生成する生成手段と、
前記同調手段、前記記録手段、及び前記生成手段に結合し、且つ、前記同調手段、前記記録手段、及び前記生成手段の動作を制御する制御手段と、
を含み、
前記制御手段は、前記デジタルビデオ記録装置が電源オン状態に置かれると、前記記憶装置内に格納された利用可能なビデオ番組の数を示す初期オンスクリーン表示メッセージを前記生成手段に生成させる装置。
【請求項１１】
前記利用可能なビデオ番組の数は、最後に前記装置が電源オン状態にされたときから前記記憶装置内に格納されたビデオ番組の数を含む請求項１０記載の方法。
【請求項１２】
前記初期オンスクリーン表示メッセージは更に、前記記憶装置に格納された前記利用可能な数のビデオ番組の選択された属性を表示する請求項１１記載の方法。
【請求項１３】
前記選択された属性は、前記利用可能な数のビデオ番組のタイトルを含む請求項１２記載の方法。
【請求項１４】
前記選択された属性は、前記利用可能な数のビデオ番組のそれぞれが前記記憶装置に格納された時刻を含む請求項１２記載の方法。
【請求項１５】
前記利用可能なビデオ番組の数は、前記記憶装置に格納された全ての番組を列挙する全番組リスト表示にユーザが最後にアクセスしたときから前記記憶装置に格納されたビデオ番組の数を含む請求項１０記載の方法。
【請求項１６】
前記初期オンスクリーン表示メッセージは更に、前記記憶装置に格納された前記利用可能な数のビデオ番組の選択された属性を表示する請求項１５記載の方法。
【請求項１７】
前記選択された属性は、前記利用可能な数のビデオ番組のタイトルを含む請求項１６記載の方法。
【請求項１８】
前記選択された属性は、前記利用可能な数のビデオ番組のそれぞれが前記記憶装置に格納された時刻を含む請求項１６記載の方法。
【発明の詳細な説明】
【技術分野】
【０００１】
本発明は、一般的に、デジタル記録装置及びデジタル記録装置を制御する方法に係わり、より具体的には、記録装置上に格納された利用可能なビデオ番組の数をユーザが容易に判断することを可能にするデジタル記録装置及びデジタル記録装置を制御する方法に係る。
【背景技術】
【０００２】
パーソナルビデオレコーダ（ＰＶＲ）は、関連付けられるテレビ受像機、モニタ、又は他の表示装置上に表示されるグラフィカルユーザインタフェース（ＧＵＩ）によって、将来の時間に放送されるテレビ番組又は現在放送されているテレビ番組を記録するようユーザが選択することを可能にするといった様々な機能を提供するデジタル記録装置である。このような装置は、選択された番組を、ハードディスクといった記憶モジュール上にデジタル的に記録し、そして、ユーザのコマンドにより、格納番組を記憶装置から取出しし、その格納番組を伸張又は復号化し、そのビデオ信号を関連付けられるテレビ受像機、モニタ、又は他の表示装置上に出力することによって格納番組を再生する。このような機能を有する装置は、現在、「ＴｉＶｏ」、「ＲｅｐｌａｙＴＶ」、「Ｓｋｙ＋」、及び「Ｓｈｏｗｓｔｏｐｐｅｒ」の商標で販売されている。
【０００３】
このような装置は、アナログ記録装置を介してでは消費者はそれまでは利用することのできなかった番組の記録及び再生の制御における機能及び利点を提供する。この機能には、画面上の生番組を一時停止して、一方でユーザがその番組を現在放送されている番組をどこも見損ねることなく好きなときに再生することができるようその番組を記憶装置上に記録し続け、また、更に、同じ番組又は違う番組を同時に記録且つ再生する機能が含まれ、これにより、受信したビデオ信号の記録及び再生において大きな柔軟性が与えられる。番組はデジタル的に格納且つ処理されるので、装置は更に、例えば、瞬間的に所定時間分前にスキップするといった再生のより自由な制御をユーザが有することも可能にする。このような装置は更に、一般的に、ユーザがマス目状にされた番組スケジュールを容易に見て、記録のために特定の番組を選択することを可能にする番組ガイドと連携するよう設計される。装置は更に、後での再生のためにＰＶＲ上にカムコーダといった再生装置のコンテンツをデジタル的に記録するようその装置をＰＶＲに接続する入力端末も含み得る。
【０００４】
ＰＶＲにより与えられるもう一つの便利な機能は、ＰＶＲに関連付けられるメモリ装置上に格納され且つそのメモリ装置から利用可能である番組のリストを表示する機能である。このようなリストは、ユーザが、例えば、どの番組が利用可能であるか、及び、最後にＰＶＲを用いた時からどの新しい番組が記録されているか容易に判断することを可能にする。しかし、現在のＰＶＲは、利用可能な番組のリストを表示するために、メニュ又は一連のメニュを検索することをユーザに要求する。一部のＰＶＲは、新しい番組がハードドライブに記録されたことを示すために点灯するＬＥＤといった表示を含むが、そのような表示は、新しく記録された番組、ハードディスクから利用可能な番組の数、又は、最後にＰＶＲを用いた時から記録された新しい番組の数に関する任意の情報を与えない。
【０００５】
更に、現在のＰＶＲは、ＰＶＲを制御するための様々なオプションをユーザが選択することを可能にする初期表示を、スタンバイ状態から電源ＯＮ状態に置かれたときに与え得る。ユーザは、利用可能な番組を列挙する表示にアクセスするためには、この初期表示から、遠隔制御器上の様々なキーを操作しオプションを検索する必要がある。このことは、どれくらいの又はどんな新しい番組が利用可能であるのかすぐに判断したいユーザにとっては不都合な場合がある。
【発明の開示】
【発明が解決しようとする課題】
【０００６】
上述を鑑みるに、ユーザが、メニュ又は一連のメニュを検索する必要なくデジタル記録装置上に利用可能な番組の数を容易且つ迅速に判断することを可能にする装置及び方法を提供することが好適である。
【課題を解決するための手段】
【０００７】
本発明は、デジタル記録装置が電源オン状態に置かれるときに、デジタル記録装置に関連付けられる番組の利用可能な数を表示する初期表示を自動的に供給することにより上述した不都合に対処するデジタル記録装置及びデジタル記録装置を制御する方法を提供する。
【０００８】
１つの実施例では、本発明は、デジタルビデオ記録装置を制御する方法を提供し、この方法は、信号源から複数のビデオ番組に対応する複数の信号を受信する段階と、ユーザコマンドに応じて、記録のために複数のビデオ番組のうちのビデオ番組を選択する段階と、記憶装置内に選択したビデオ番組を格納する段階と、記憶装置内に格納されたビデオ番組に関するデータを維持する段階と、デジタルビデオ記録装置が電源オン状態に置かれると、記憶装置内に格納された利用可能なビデオ番組の数を示す初期オンスクリーン表示メッセージを供給する段階を含む。表示は、タイトル又は記録の時刻といった格納されたビデオ番組の選択された属性を含んでもよい。或いは、利用可能なビデオ番組の数は、装置が最後に電源オン状態にされたときから装置内に格納されたビデオ番組の数だけを含んでもよい。或いは、番組の利用可能な数は、装置上に格納された全番組を列挙する全番組リスト表示にユーザが最後にアクセスしたときから記憶装置に格納されたビデオ番組の数だけを含んでもよい。
【０００９】
別の実施例では、本発明は、デジタルビデオ記録装置を提供し、このデジタルビデオ記録装置は、信号源から複数のビデオ番組に対応する複数の信号を受信する信号入力と、ユーザコマンドに応じて、複数のビデオ番組のうちのビデオ番組を選択する同調手段と、更なるユーザコマンドに応じて、記憶装置内に選択されたビデオ番組を格納する記録手段と、オンスクリーン表示メッセージを生成する生成手段と、同調手段、記録手段、及び生成手段に結合し、且つ、同調手段、記録手段、及び生成手段の動作を制御する制御手段を含み、制御手段は、デジタルビデオ記録装置が電源オン状態に置かれると、記憶装置内に格納された利用可能なビデオ番組の数を示す初期オンスクリーン表示メッセージを生成手段に生成させる。表示は、タイトル又は記録の時刻といった格納されたビデオ番組の選択された属性を含んでもよい。或いは、利用可能なビデオ番組の数は、装置が最後に電源オン状態にされたときから装置内に格納されたビデオ番組の数だけを含んでもよい。或いは、番組の利用可能な数は、装置上に格納された全番組を列挙する全番組リスト表示にユーザが最後にアクセスしたときから記憶装置に格納されたビデオ番組の数だけを含んでもよい。
【発明を実施するための最良の形態】
【００１０】
本発明の上述した特徴及び利点並びに他の特徴及び利点と、それらを得る方法は、添付図面と共に本発明の実施例の以下の説明を参照することにより明らかとなり且つ本発明はより良好に理解することができるであろう。
【００１１】
本願に記載する例示は、本発明の好適な実施例を説明するものであり、そのような例示は、本発明の範囲をいかようにも制限するものではないと解釈すべきである。
【００１２】
図面、特に、図１を参照するに、本発明を実施するのに好適な環境１００を示す。図１に示すように、環境１００は、番組信号を受信及び処理し、表示に適したオーディオ及びビデオ信号を生成するための様々な構成要素を含むデジタル記録装置２０を含む。デジタル記録装置２０は、番組信号を受信するために放送源１０に、ユーザ入力信号を受信するために遠隔制御装置３０に、番組表示を供給するために表示装置４０に結合される。表示装置４０は、一体パッケージとしてデジタル記録装置２０の構成要素に含まれる場合もある。図１に更に示すように、デジタル記録装置２０は、チューナ制御ブロック２１、受信器２２、ＧＵＩ生成器２３、制御器２４、ビデオプロセッサ２５、及びハードディスクメモリ２６を含む。当業者には直観的であるように、装置２０の上述した構成要素又は構成要素の組合わせの多くは、集積回路（ＩＣ）を用いて具現化され得る。装置２０の構成要素の構成及び動作は、当業者には一般的に知られており、本発明の理解の必要に応じて説明する。
【００１３】
図１において、放送源１０は、記録のためにデジタル記録装置２０にビデオ信号を含むデータを供給するよう動作する。放送源１０は、例えば、地上、衛星、ケーブル、インターネット、又は他の種類の有線或いは無線通信リンクを介して装置２０にデータを供給し得る。電子番組ガイド（ＥＰＧ）は、放送源１０を介してビデオ番組と共に、又は、ユーザが特定の所望のビデオ番組を記録するために装置２０の「ワンタッチ」プログラミング方法を用いることを可能にするよう例えば電話リンクのような別個のリンクを介して供給され得る。ＥＰＧにより与えられる情報も、記録番組について追加の情報を与えるよう記録番組と共に格納され得る。放送源１０は、カムコーダ、ＤＶＤプレーヤ、又は他の同様の装置から供給される信号といったように、デジタル記録装置２０に接続される装置を介して供給される生の又は記録された信号も表し得る。
【００１４】
デジタル記録装置２０は、放送源１０から供給されるデータをデジタル的に記録するよう動作可能であり、ＰＶＲ又はデジタルバーサタイルディスク（ＤＶＤ）記録装置といった他のデジタルビデオ記録装置として具現化され得る。装置２０は更に、ディスクプレーヤ（図示せず）を含むハードディスク記録装置を含む組合わせプレーヤとしても具現化され得る。１つの例示的な実施例では、チューナ制御ブロック２１は、放送源１０からデータを受信し、同調信号を生成するよう同調機能を行うよう動作可能である。受信器２２は、チューナ制御ブロック２１から供給される同調信号を受信且つ処理し、それにより、対応ＩＦ及びベースバンド信号を生成するよう動作可能である。ＧＵＩ生成器２３は、装置２０の様々な動作モードに対応するＧＵＩ表示（例えば、ビットマップ画像）を生成するよう動作可能である。ＧＵＩ表示は、例えば、装置２０の動作に関する状態情報か、又は、装置２０の動作を制御するよう様々な選択をユーザが行うことを可能にするメニュを供給するよう表示装置４０上に生成され且つ表示される。本願において以下に説明するように、ユーザは、装置２０の動作を制御するようそのようなＧＵＩ表示に対応して装置２０に入力を供給し得る。
【００１５】
制御器２４は、装置２０の様々な構成要素の全体制御を行うよう動作可能である。１つの例示的な実施例では、制御器２４は、表示装置４０上で受信ビデオの一部を一時停止し同時に入来ビデオをハードドライブメモリ２６上に将来の再生のために記録し続けるといった既知のデジタル記録機能を供給するよう装置２０の他の構成要素の動作を制御する様々な制御信号を生成する。ビデオプロセッサ２５は、装置４０上での表示に好適なビデオ信号を生成するよう伸張化、復号化、符号化等といった装置２０の様々なビデオ処理機能を行うよう動作可能である。１つの例示的な実施例では、ビデオプロセッサ２５は、例えば、ＮＴＳＣ又はＰＡＬ形式での表示装置４０上の対応視覚的表示を可能にするよう受信器２２から供給されるビデオ信号並びにハードディスクメモリ２６から取出しされるビデオデータを処理且つフォーマット化する。ビデオプロセッサ２５は更に、そのようなビデオ画像を、ＧＵＩ生成器２３により生成されるＧＵＩ表示と組合わせ得る。この組合わせは、ＧＵＩ表示を番組表示上に重ねるようビデオ信号及びＧＵＩ信号間を切替わる切替え装置（図示せず）により実施され得る。
【００１６】
ハードディスクメモリ２６は、制御器２４の制御下でデジタルビデオデータを格納するよう動作可能である。ビデオ番組データは、ビデオプロセッサ２５により供給され、ハードディスクメモリ２６内のビデオデータの記憶情報量を最大限にするよう例えば、ＭＰＥＧ−２、ＪＶＴ等の圧縮形式でハードディスクメモリ２６上に格納され得る。ハードディスク上に格納される番組のテーブル又はリストは、制御器２４の制御下でハードディスク上に格納され得る。番組及び番組のリストは、ファイル割当てテーブルを用いて識別される連続的又は非連続的データブロックを用いることを含む従来の既知の方法を用いてハードディスク上に格納され得る。リストは更に、ハードディスクとは別個のメモリ装置上に格納されてもよい。図１のメモリ２６は、例示的にハードディスクメモリとして示すが、オプティカルディスク、フラッシュメモリ、着脱可能ハードディスク、半導体メモリ等のうちの１つ以上といったように大容量のデジタルビデオデータを格納可能な他の形式で具現化されてもよい。
【００１７】
遠隔制御装置３０は、デジタル記録装置２０にユーザ制御入力を供給するよう動作可能であり、例えば、ハンドヘルド式遠隔制御器、キーボード、又は、装置２０と一体にされる入力端末といった他の入力装置として具現化され得る。遠隔制御装置３０は、例えば、ＲＦ又はＩＲ信号形式といった有線又は無線媒体を介して記録装置２０内に含まれる受信器（図示せず）に結合され得る。１つの例示的な実施例では、ユーザは、表示装置４０上に表示されるＥＰＧから記録されるべきテレビ番組を選択する、及び、表示装置４０上に表示される画面メッセージに応答するといったように装置２０の様々な動作モードを制御するコマンドを送信するために遠隔制御装置３０を用い得る。図１には明確に示さないが、制御器２４は、遠隔制御装置３０を介して装置２０に供給されるユーザ入力を受信且つ処理するよう動作可能である。表示装置４０は、ビデオプロセッサ２５から供給されるビデオ出力信号に対応する画像を視覚的に表示するよう動作可能であり、例えば、テレビジョン画面、又は他の表示装置として具現化され得る。
【００１８】
図２を参照するに、本発明の１つの実施例による例示的な段階を示すフローチャート２００を示す。例示的及び説明のために、図２に示す段階は、図１のデジタル記録装置２０を参照して説明する。図２の段階は、例示的に過ぎず、従って、本発明をいかようにも制限するものではない。
【００１９】
段階２０２において、装置２０は、装置２０の動作を制御するためのユーザ入力コマンドを受信する。コマンドは、例えば、装置２０が所望の時間の間に特定のチャンネルに合わされ、ハードディスクメモリ２６上に選択されたビデオ番組を記録するようプログラムされる記録動作を行うことであり得る。この動作は、例えば、ワンタッチ記録方法を介して表示装置４０上に表示されるＥＰＧに対応した入力に応答して生成され得る。或いは、記録動作は、遠隔制御装置３０上の「記録」キーのユーザ作動に応答して生成され得、これは、全記録時間を特定しない記録コマンドとなる。記録動作の結果、複数のビデオ番組、及び、ビデオ番組に関連するデータが、ハードディスクメモリ２６上に格納される。
【００２０】
段階２０４において、受信したユーザコマンドが電源オンコマンドであるか否かが判断される。電源オンコマンドでない場合、装置２０は、段階２０６に移り、受信したユーザコマンドに応じて必要な動作を行う。受信したユーザコマンドが電源オンコマンドである場合、装置２０は、段階２０８において、電源オン状態に置かれる。装置２０を電源オン状態に置くことは、例えば、図１に示す構成要素に動作電力を供給することが含まれ得る。
【００２１】
段階２１０において、メモリ２６に格納されたビデオ番組に関するデータが読出しされる。このデータには、例えば、メモリ２６内に格納されたビデオ番組の総数、装置２０が最後に電源オン状態にされた時からメモリ２６内に格納されたビデオ番組の数、メモリ２６内に格納された全ビデオ番組の全リストにユーザが最後にアクセスした時からメモリ２６内に格納されたビデオ番組の数、及び、以下に制限されないが、タイトル、記録時刻、記録継続時間等の格納された番組に関連付けられる属性が含まれ得る。このデータは、段階２１２において、電源オンコマンドに応答してユーザに提供される初期オンスクリーン表示を生成するために用いられる。このようにして、本発明は、更なるユーザによるメニュ検索を必要とすることなく、格納されたビデオ番組に関する情報をユーザが容易に判断することを可能にする初期ＯＳＤを表示装置４０上に供給する。段階２１２において供給される画面メッセージの例を図３に示す。
【００２２】
図３に示すように、例示的な画面メッセージ３００は、ユーザが、装置２０の状態と装置２０から利用可能な記録を容易に判断することを可能にする様々なパラメータを含む。メッセージ３００は、様々な情報カテゴリを表す様々なボタンを列挙した左側表示部分３０１を含む。
【００２３】
ユーザは、様々なカテゴリボタンを選択し、それにより、そのカテゴリ内の更なる情報が入手することができる。チャンネルボタン３０２は、様々な利用可能なチャンネル上で予定される番組に関する追加情報を入手するよう選択され得る。ディスクボタン３０４は、装置２０に関連付けられるディスクプレーヤに入れられるビデオ又はオーディオディスクに関する追加情報を入手するよう選択され得る。ビデオボタン３０６は、ハードディスクメモリ２６上に格納されたビデオ番組に関する追加情報を入手するよう選択され得る。追加情報は、例えば、タイトル、番組カテゴリ、チャンネル、継続時間、俳優、要約等が含まれ得る。ミュージックボタン３０８は、例えば、ＭＰ３形式でハードディスクメモリ２６上に格納されたオーディオ番組ファイルのリスト及びオーディオ番組ファイルに関する追加情報を入手するよう選択され得る。ピクチャボタン３１０は、ハードディスクメモリ２６上に格納された画像ファイルのリスト及び画像ファイルに関する追加情報を入手するよう選択され得る。記録ボタン３１２は、記録されるよう予定される番組のリスト及び番組に関する追加情報を入手するよう選択され得る。セットアップボタン３１４は、装置２０の様々なセットアップパラメータを制御するセットアップメニュにアクセスするために選択され得る。カードボタン３１６は、装置２０に取付けられるメモリカード上に格納される材料を見るために選択され得る。メモリカードは、装置２０に接続される又は装置２０に内蔵されるカードリーダを介して取付けられ得る。
【００２４】
右側表示部分３１８は、左側表示部分３０１のカテゴリボタンに関連付けられるデータを含む。表示部分３２０は、装置は、チャンネル００４の番組の生の表示に対応する出力を供給していることを示す。表示部分３２２は、装置２０に関連付けられるディスクプレーヤにディスクが入れられていないことを示す。表示部分３２４は、１０個のタイトルが格納され、装置２０から表示のために利用可能であることを示す。ボタン３０８乃至３１０に関して指示が表示されていないが、ハードディスクメモリ２６上に格納された音楽ファイル及び画像ファイルの総数を示す表示が所望に応じて示され得ることを理解するものとする。表示部分３２６は、現在の日時を示す。
【００２５】
例示的なメッセージでは、利用可能なタイトルの総数が表示されるが、他の変形も考えられることは理解するものとする。別の実施例では、表示部分３２４は、最後に装置２０が電源オン状態にされたときからハードディスクメモリ２６上に記録されたビデオ番組の総数を表示するよう構成されることが可能である。別の実施例では、表示部分３２４は、ハードディスクメモリ２６上で利用可能な全ての番組を列挙する全番組リスト表示にユーザが最後にアクセスしたときからハードディスクメモリ２６上に記録されたビデオ番組の総数を表示するよう構成されることも可能である。別の実施例では、例えば、番組のタイトル、記録時刻等といったハードディスクメモリ２６上に格納された番組に関連付けられる様々な属性が、メッセージ３００上に表示され得る。表示されるべき数又は属性の種類は、セットアップメニュを介して選択され得る。装置が電源オン状態にされたときに、ユーザは、メッセージ３００を用いて、利用可能な番組の数、及び／又は、番組の属性をすぐに且つ容易に判断可能であることは明らかである。
【００２６】
本発明は、様々な形式のハードウェア、ソフトウェア、ファームウェア、特殊目的プロセッサ、又はこれらの組合わせの様々な形式で実施され得ることを理解するものとする。本発明は、ハードウェア及びソフトウェアの組合わせとして実施されることが好適である。更に、ソフトウェアは、番組記憶装置上に明白に具現化されるアプリケーションプログラムとして実施されることが好適である。アプリケーションプログラムは、任意の好適なアーキテクチャを含む機械にアップロードされその機械により実行され得る。その機械は、オペレーティングシステム及びマイクロ命令コードを有するプラットフォーム上で実施されることが好適である。本願に記載する様々な処理及び機能は、オペレーティングシステムを介して実行される、マイクロ命令コードの一部か、又は、アプリケーションプログラムの一部（又はそれらの組合わせ）であり得る。
【００２７】
更に、添付図面に記載する一部の構成システム構成要素及び方法段階は、ソフトウェアで実施されることが好適であるため、システム構成要素（又は処理段階）間の実際の接続は、本発明がプログラムされる方法に依存して異なり得る。本願の教示内容が与えられるならば、当業者は、本発明のこれらの又は類似する実施又は構成を考えることが可能であろう。
【００２８】
本発明は、好適な設計を有するものとして記載したが、本発明は、本開示の精神及び範囲内で更に変更されることが可能である。従って、本願は、本発明の一般的な原理を用いた本発明の任意の変形、使用法、又は適応を含むものとする。例えば、本発明の原理は、ＣＤ及びＤＶＤディスクといった異なる記録媒体又は媒体の組合わせを用いる記録装置に適用可能であることは明らかである。従って、本発明は、異なる記録媒体又は媒体の組合わせのそれぞれに格納された番組に関する情報を供給するよう活用し得る。更に、本発明の原理は、例えば、信号処理機能がデジタルセットトップボックス（ＤＳＴＢ）内に配置されメモリ装置はＤＳＴＢの外部にある又はサーバプロバイダ設備に設置される中心サーバの割当て部分である環境における、メモリ装置がデジタル信号処理装置の外側に配置される又はデジタル信号処理装置に外部で接続される装置に適用可能であることは明らかである。更に、本願は、本発明が関する技術においては周知又は慣行であり、特許請求の範囲の制限内である本開示からの上述したような新機軸を含むことを目的とする。
【００２９】
本願は、２００２年７月１８日に米国特許庁に出願した仮特許出願番号６０／３９６，９３１に基づいて優先権を主張する。
【図面の簡単な説明】
【００３０】
【図１】本発明を実施するのに好適なデジタル記録装置を示す図である。
【図２】本発明の方法を実施する例示的な段階を示すフローチャートである。
【図３】本発明の例示的な画面メッセージを示す図である。
【図１】
2005533334.tif 000003
【図２】
2005533334.tif 000004
【図３】
2005533334.tif 000005
【国際調査報告】
2005533334.tif 000006
2005533334.tif 000007